(57)【要約】【課題】あらかじめ登録されている端末を保有するユーザに対してのみ経路情報を提供することにより、記憶容量を少なくして安価な装置にて経路情報を提供すること。【解決手段】ユーザ識別情報取得部１０４は、認証対象のユーザのユーザ識別情報を取得する。制御部１０５は、経路情報を特定のユーザの通信端末装置へ送信するために変調部１０７へ出力する。ユーザ認識部１０８は、受信信号より抽出したユーザ識別情報若しくはユーザ識別情報取得部１０４より取得したユーザ識別情報とあらかじめ登録されているユーザ識別情報とが一致するか否かを判定する。経路特定部１１０は、目的地情報を用いて参照テーブルを参照することにより経路情報を特定する。エリアデータベース部１１１は、登録されているユーザのユーザ識別情報を記憶し、ユーザ識別情報から経路情報を特定するための案内情報を参照テーブルに保存している。【選択図】      図１
2005020514.tif 000002
【特許請求の範囲】
【請求項１】
現在地から目的地までの経路を示す経路情報とユーザ毎に異なる情報であるユーザ識別情報とをあらかじめ記憶する記憶手段と、
認証対象のユーザのユーザ識別情報と前記ユーザ識別情報記憶手段に記憶されている前記ユーザ識別情報とが一致する場合に、前記ユーザ識別情報に基づいて前記記憶手段より前記経路情報を読み出して前記認証対象のユーザへ送信する送信制御手段と、
を具備することを特徴とする経路情報提供装置。
【請求項２】
前記記憶手段は、前記ユーザ識別情報と前記経路情報とを関係付けた案内情報をあらかじめ記憶し、前記送信制御手段は、前記ユーザ識別情報を用いて前記案内情報を参照することにより前記経路情報を読み出すことを特徴とする請求項１記載の経路情報提供装置。
【請求項３】
前記送信制御手段は、前記認証対象のユーザのユーザ識別情報と前記ユーザ識別情報記憶手段にて記憶されている前記ユーザ識別情報とが一致する場合に、前記認証対象のユーザが通過するゲートの開閉を制御する制御装置に対して前記ゲートを開くための制御信号を送信することを特徴とする請求項１または請求項２記載の経路情報提供装置。
【請求項４】
前記認証対象ユーザの現在地を特定する現在地特定手段を具備し、前記記憶手段は、複数の目的地の情報を含む目的地選択用情報及び所定のエリアの地図情報をあらかじめ記憶し、前記送信制御手段は、前記認証対象のユーザへ前記目的地選択用情報を送信するとともに、前記現在地特定手段により特定された前記認証対象のユーザの前記現在地の情報と受信信号より抽出した前記認証対象のユーザが選択した前記目的地の情報とを用いて、前記地図情報を参照することにより前記現在地から前記目的地までの経路を前記経路情報として読み出すことを特徴とする請求項１記載の経路情報提供装置。
【請求項５】
請求項１から請求項４のいずれかに記載の経路情報提供装置と通信する通信端末装置であって、前記通信端末装置は、前記ユーザ識別情報を記憶するユーザ識別情報記憶手段と、前記ユーザ識別情報記憶手段から読み出された前記ユーザ識別情報を表示するかまたは送信するかを選択する選択手段と、前記選択手段により前記ユーザ識別情報を表示することが選択された場合には、前記ユーザ識別情報記憶手段から読み出された前記ユーザ識別情報を表示する表示手段と、前記選択手段により前記ユーザ識別情報を送信することが選択された場合には、前記ユーザ識別情報記憶手段から読み出された前記ユーザ識別情報を送信する送信手段と、受信信号に含まれる前記経路情報を画像データまたは音声データとして出力する出力処理手段と、を具備することを特徴とする通信端末装置。
【請求項６】
現在地から目的地までの経路を示す経路情報とユーザ毎に異なる情報であるユーザ識別情報とをあらかじめ記憶するステップと、
認証対象のユーザのユーザ識別情報と前記ユーザ識別情報記憶手段に記憶されている前記ユーザ識別情報とが一致する場合には、前記ユーザ識別情報に基づいて前記記憶手段より前記経路情報を読み出して前記認証対象のユーザへ送信するステップと、
を具備することを特徴とする経路情報提供方法。
【発明の詳細な説明】
【０００１】
【発明の属する技術分野】
本発明は、経路情報提供装置及び経路情報提供方法に関し、例えばコンサート会場、劇場、テーマパークまたは駐車場等の比較的狭いエリアの経路情報をユーザが保有する通信端末装置へ送信する経路情報提供装置及び経路情報提供方法に関する。
【０００２】
【従来の技術】
従来、携帯端末を用いたチケット認証及び自席の確認を行う方法としては、携帯端末が入場ゲートと通信を行い、携帯端末を所有するユーザが入場を許可しても良いユーザである場合には入場ゲートの入場を許可するものである。そして、入場した後、携帯端末を所有するユーザは、自席を探した後に携帯端末を用いて座席情報を参照することにより、予約席か否かを確認する方法が知られている。
【０００３】
図１０は、従来の携帯端末１０００の構成を示した図である。無線信号処理部１００１は、受信信号の信号処理を行い、音声処理部１００２は、通話を行う場合に音声を出力するとともに入力された音声の処理を行う。キー信号検出部１００３は、受信信号に含まれるキー要求信号を検出してＣＰＵ１００４へ出力する。
【０００４】
ＣＰＵ１００４は、キー信号検出部１００３から入力したキー要求信号をメモリ１００５に格納するとともに、入力キー部１００６を操作することにより、通話モードから近距離無線モードに切り替えて無線送受信部１００７及び無線インターフェース（Ｉ／Ｆ）部１００８を起動する。同時に、ＣＰＵ１００４は、ＩＣカードインターフェース（Ｉ／Ｆ）部１００９を介してＩＣカード１０１０からキー信号を読み出し、メモリ１００５に格納しているキー要求信号と比較する。そして、ＣＰＵ１００４は、読み出したキー信号が要求されたものであると判定した場合には、ＩＣカードＩ／Ｆ部１００９を介してＩＣカード１０１０からキー信号に対応する予約データを読み出し、メモリ１００５に格納する。ＣＰＵ１００４は、メモリ１００５のデータを読み出し、無線Ｉ／Ｆ部１００８及び無線送受信部１００７を介して無線出力する。このような携帯端末１０００を用いることにより、携帯端末１０００を所有するユーザは、予約座席か否かを判断することができる（例えば、特許文献１参照。）。
【０００５】
【特許文献１】
特開２００２−３２９２２３号公報
【０００６】
【発明が解決しようとする課題】
しかしながら、従来の経路情報提供装置及び経路情報提供方法においては、チケット認証された携帯端末保有者は、予約した座席付近でしか予約した座席位置を確認することができず、入場ゲートから予約座席までの経路を知ることができない。そのため、入場ゲートから座席にたどり着くまで携帯端末保有者自身が経路を探索することになり不便であるという問題がある。
【０００７】
本発明はかかる点に鑑みてなされたものであり、あらかじめ登録されている端末を保有するユーザに対してのみ経路情報を提供することにより、記憶容量を少なくして安価な装置にて経路情報を提供することができるとともに、経路情報を提供する装置を小型化することができる経路情報提供装置及び経路情報提供方法を提供することを目的とする。
【０００８】
【課題を解決するための手段】
本発明の経路情報提供装置は、現在地から目的地までの経路を示す経路情報とユーザ毎に異なる情報であるユーザ識別情報とをあらかじめ記憶する記憶手段と、認証対象のユーザのユーザ識別情報と前記ユーザ識別情報記憶手段に記憶されている前記ユーザ識別情報とが一致する場合に、前記ユーザ識別情報に基づいて前記記憶手段より前記経路情報を読み出して前記認証対象のユーザへ送信する送信制御手段と、を具備する構成を採る。
【０００９】
この構成によれば、例えばユーザの通信端末装置から取得したユーザ識別情報とあらかじめ記憶しているユーザ識別情報とを比較して、ユーザ識別情報が一致した場合には、ユーザ識別情報が一致した通信端末装置に専用の経路情報を提供するとともに、経路情報を受信したユーザは、受信した自分専用の経路情報を通信端末装置に表示等することができる。これにより、あらかじめ登録されている端末を保有するユーザに対してのみ経路情報を提供することができるので、記憶容量を少なくして安価な装置にて経路情報を提供することができるとともに、経路情報を提供する装置を小型化することができる。
【００１０】
本発明の経路情報提供装置は、前記構成において、前記記憶手段は、前記ユーザ識別情報と前記経路情報とを関係付けた案内情報をあらかじめ記憶し、前記送信制御手段は、前記ユーザ識別情報を用いて前記案内情報を参照することにより前記経路情報を読み出す構成を採る。
【００１１】
この構成によれば、前記効果に加えて、ユーザ識別情報と経路情報とを関係付けた案内情報を参照することにより認証対象のユーザ専用の経路情報を読み出すことができるので、簡単な処理にて迅速に経路情報を提供することができる。
【００１２】
本発明の経路情報提供装置は、前記構成において、前記送信制御手段は、前記認証対象のユーザのユーザ識別情報と前記ユーザ識別情報記憶手段にて記憶されている前記ユーザ識別情報とが一致する場合に、前記認証対象のユーザが通過するゲートの開閉を制御する制御装置に対して前記ゲートを開くための制御信号を送信する構成を採る。
【００１３】
この構成によれば、前記効果に加えて、通過を許可しても良いユーザであるか否かをユーザ識別情報に基づいて判断することができるので、通過の許可を受けていないユーザの通過を防ぐことができることにより、通過を許可された特定のユーザに対してのみ経路情報を提供することができる。
【００１４】
本発明の経路情報提供装置は、前記構成において、前記認証対象ユーザの現在地を特定する現在地特定手段を具備し、前記記憶手段は、複数の目的地の情報を含む目的地選択用情報及び所定のエリアの地図情報をあらかじめ記憶し、前記送信制御手段は、前記認証対象のユーザへ前記目的地選択用情報を送信するとともに、前記現在地特定手段により特定された前記認証対象のユーザの前記現在地の情報と受信信号より抽出した前記認証対象のユーザが選択した前記目的地の情報とを用いて、前記地図情報を参照することにより前記現在地から前記目的地までの経路を前記経路情報として読み出す構成を採る。
【００１５】
この構成によれば、前記効果に加えて、任意の地点において経路情報提供装置と通信を行う端末を保有するユーザに対して経路情報を提供するので、所定のエリア内であれば、端末を保有するユーザが場所を選ばずに経路情報を取得することができる。
【００１６】
本発明の通信端末装置は、上記のいずれかに記載の経路情報提供装置と通信を行う通信端末装置であって、前記通信端末装置は、前記ユーザ識別情報を記憶するユーザ識別情報記憶手段と、前記ユーザ識別情報記憶手段から読み出された前記ユーザ識別情報を表示するかまたは送信するかを選択する選択手段と、前記選択手段により前記ユーザ識別情報を表示することが選択された場合には、前記ユーザ識別情報記憶手段から読み出された前記ユーザ識別情報を表示する表示手段と、前記選択手段により前記ユーザ識別情報を送信することが選択された場合には、前記ユーザ識別情報記憶手段から読み出された前記ユーザ識別情報を送信する送信手段と、受信信号に含まれる前記経路情報を画像データまたは音声データとして出力する出力処理手段と、を具備する構成を採る。
【００１７】
この構成によれば、経路情報提供装置から受信した経路情報を表示することにより、通信端末装置を保有するユーザは表示された経路情報に従って目的地まで移動することができるので、通信端末の保有者が迷うことなく確実に目的地に辿り着くことができる。
【００１８】
本発明の経路情報提供方法は、現在地から目的地までの経路を示す経路情報とユーザ毎に異なる情報であるユーザ識別情報とをあらかじめ記憶するステップと、認証対象のユーザのユーザ識別情報と前記ユーザ識別情報記憶手段に記憶されている前記ユーザ識別情報とが一致する場合には、前記ユーザ識別情報に基づいて前記記憶手段より前記経路情報を読み出して前記認証対象のユーザへ送信するステップと、を具備するようにした。
【００１９】
この方法によれば、例えばユーザの通信端末装置から取得したユーザ識別情報とあらかじめ記憶しているユーザ識別情報とを比較して、ユーザ識別情報が一致した場合には、ユーザ識別情報が一致した通信端末装置に専用の経路情報を提供するとともに、経路情報を受信したユーザは、受信した自分専用の経路情報を通信端末装置に表示等することができる。これにより、あらかじめ登録されている端末を保有するユーザに対してのみ経路情報を提供することができるので、記憶容量を少なくして安価な装置にて経路情報を提供することができるとともに、経路情報を提供する装置を小型化することができる。
【００２０】
【発明の実施の形態】
本発明の骨子は、受信信号に含まれているユーザ識別情報を抽出するかまたは通信端末装置の画面に表示されているユーザ識別情報を読み取ることによりユーザ識別情報を取得する。そして、取得したユーザ識別情報とあらかじめ記憶されているユーザ識別情報とが一致するか否かを判定し、取得したユーザ識別情報とあらかじめ記憶されているユーザ識別情報とが一致する場合には、一致したユーザ識別情報を用いて、ユーザ識別情報と経路情報とを関係付けた案内情報を記憶した参照テーブルを参照することにより、あらかじめ記憶されているユーザ識別情報と同一のユーザ識別情報を保有する認証対象ユーザの通信端末装置に対して専用の経路情報を提供することである。
【００２１】
以下、本発明の実施の形態について、図面を参照して詳細に説明する。
【００２２】
（実施の形態１）
図１は、本発明の実施の形態１に係る経路情報提供装置１００の構成を示すブロック図である。
【００２３】
無線部１０２は、アンテナ１０１にて受信した受信信号を無線周波数からベースバンド周波数等へダウンコンバート等して復調部１０３へ出力する。また、無線部１０２は、変調部１０７から入力した送信信号をベースバンド周波数から無線周波数へアップコンバート等してアンテナ１０１よりユーザの端末へ送信する。
【００２４】
復調部１０３は、無線部１０２から入力した受信信号を復調して制御部１０５へ出力する。
【００２５】
ユーザ識別情報取得部１０４は、ユーザ毎に固有の情報であるユーザ識別情報が、認証対象のユーザが保有する通信端末装置の画面に表示されている場合には、通信端末装置に表示されているユーザ識別情報をスキャナ等により走査してユーザ識別情報を読み取ることにより、ユーザ識別情報（認証対象ユーザ識別情報）を取得する。また、ユーザ識別情報取得部１０４は、ユーザ識別情報が、認証対象のユーザが保有する通信端末装置から発生する音声である場合には、マイク等により発生された音声を取得して音声信号を電気信号に変換することによりユーザ識別情報（認証対象ユーザ識別情報）を取得する。また、ユーザ識別情報取得部１０４は、ユーザ識別情報が入場チケット等の紙に記載されている場合には、紙に記載されているユーザ識別情報を手等にて入力することにより、ユーザ識別情報（認証対象ユーザ識別情報）を取得することができる。そして、ユーザ識別情報取得部１０４は、取得したユーザ識別情報を制御部１０５へ出力する。なお、ユーザ識別情報の読み取りは、スキャナ等のように走査するものに限らず、カメラ等を用いて撮影することにより読み取るようにしても良い。
【００２６】
送信制御手段である制御部１０５は、ユーザ識別情報取得部１０４から入力したユーザ識別情報または復調部１０３から入力したユーザ識別情報を、記憶部１０６へ記憶させるとともに、記憶部１０６に記憶されているユーザ識別情報を読み出してユーザ認識部１０８へ出力する。また、制御部１０５は、記憶部１０６から読み出したユーザ識別情報とエリアデータベースにあらかじめ登録されているユーザ識別情報とが一致する旨の情報がユーザ認識部１０８から入力した場合には、記憶部１０６から読み出したユーザ識別情報を目的地特定部１０９へ出力するとともに、ユーザ識別情報が一致した旨の制御信号を変調部１０７へ出力する。ここで、制御信号は、例えば認証対象のユーザがゲートを通過することを許可するための信号であり、ゲートの開閉を制御する制御装置に送信されることにより、ゲートの開閉を制御する制御装置はゲートを開く制御を行う。
【００２７】
また、制御部１０５は、目的地特定部１０９から目的地情報が入力した場合には、入力した目的地情報を変調部１０７及び経路特定部１１０へ出力する。制御部１０５は、経路特定部１１０から経路情報が入力した場合には、経路情報を変調部１０７へ出力する。目的地情報及び経路情報は、画像情報または音声情報等の任意の方式にすることが可能であり、また、パケットデータの形式、電子メールを用いて送信することができるデータ形式、ＩｒＤＡまたはブルートゥース等の任意の形式及び任意の通信方式を採用して送信することが可能である。また、目的地情報は、例えば映画館における予約した座席情報である。なお、目的地情報は、予約した座席情報に限らず、任意の情報にすることが可能である。
【００２８】
記憶部１０６は、制御部１０５から入力したユーザ識別情報を記憶するとともに、制御部１０５からユーザ識別情報の出力を要求された場合には、記憶しているユーザ識別情報を制御部１０５へ出力する。
【００２９】
変調部１０７は、制御部１０５から入力した認証対象ユーザへ送信する経路情報及び目的地情報を含む送信信号を変調して無線部１０２へ出力する。
【００３０】
ユーザ認識部１０８は、制御部１０５からユーザ識別情報が入力した場合には、あらかじめエリアデータベース部１１１に記憶されているユーザ識別情報を検索して、入力したユーザ識別情報があらかじめエリアデータベース部１１１に記憶されている特定のユーザ識別情報と一致するか否かを判定する。そして、ユーザ認識部１０８は、制御部１０５から入力したユーザ識別情報とあらかじめエリアデータベース部１１１に記憶されている特定のユーザ識別情報とが一致すると判定した場合には、一致する旨の情報を制御部１０５へ出力する。
【００３１】
目的地特定部１０９は、制御部１０５からユーザ識別情報が入力した場合には、エリアデータベース部１１１に記憶されている参照テーブルを参照して目的地（座席番号等）を検索し、検索した目的地情報を制御部１０５へ出力する。
【００３２】
経路特定部１１０は、制御部１０５から目的地情報が入力した場合には、エリアデータベース部１１１に記憶されている参照テーブルを参照して経路情報を取得して、取得した経路情報を制御部１０５へ出力する。経路特定部１１０が出力する経路情報は、入場ゲートから予約座席までの経路情報のように、ユーザ毎に固定された２地点間の経路を示す情報である。
【００３３】
記憶手段であるエリアデータベース部１１１は、例えば映画館の座席を予約したユーザのみのユーザ識別情報を記憶している。また、エリアデータベース部１１１は、ユーザ識別情報と目的地情報とを関係づけて参照テーブルに保存しているとともに、目的地情報と経路情報とを関係づけて参照テーブルに保存している。即ち、エリアデータベース部１１１に記憶されているユーザ識別情報と目的地情報とを関係づけた情報及び目的地情報と経路情報とを関係づけた情報からなる案内情報を参照することにより、ユーザ識別情報から経路情報を特定することができる。経路情報は、例えば認証対象のユーザが現在居る地点から目的地までの室内における経路を示す情報である。なお、エリアデータベース部１１１は、映画館の座席を予約したユーザのユーザ識別情報に限らず、任意のユーザ識別情報を記憶することが可能である。
【００３４】
次に、経路情報提供装置１００と通信を行う通信端末装置２００について、図２を用いて説明する。図２は、本発明の実施の形態１に係る通信端末装置２００の構成を示すブロック図である。
【００３５】
無線部２０２は、アンテナ２０１にて受信した受信信号を無線周波数からベースバンド周波数等へダウンコンバート等して復調部２０３へ出力する。また、無線部２０２は、変調部２１０から入力した送信信号をベースバンド周波数から無線周波数へアップコンバート等してアンテナ２０１よりユーザの端末へ送信する。
【００３６】
復調部２０３は、無線部２０２から入力した受信信号を復調して制御部２０６へ出力する。
【００３７】
選択手段である入力部２０４は、例えば通信端末装置のキー入力操作により、ユーザ識別情報の読み出しを制御部２０６へ指示する。通信端末装置２００を保有するユーザは、入力部２０４を操作することにより、ユーザ識別情報を電波で送信するか、表示部２０９に表示させるかまたは音声にて出力するかを選択することができる。
【００３８】
ユーザ識別情報記憶手段である記憶部２０５は、例えば電子チケットのユーザ識別情報（座席番号情報等）を記憶しており、制御部２０６よりユーザ識別情報の読み出しを要求された場合には記憶しているユーザ識別情報を制御部２０６へ出力する。なお、記憶部２０５は、ユーザ識別情報を書き換えることができないＣＤ−ＲＯＭまたはユーザ識別情報を書き換えることが可能なＣＤ−ＲＡＭ等の任意の記録媒体を用いることが可能である。また、ユーザ識別情報をＣＤ−ＲＯＭに記録する場合でも、ＣＤ−ＲＯＭを交換することにより、異なるユーザ識別情報を記憶することが可能である。
【００３９】
送信手段である制御部２０６は、入力部２０４よりユーザ識別情報の読み出しを要求された場合には、記憶部２０５に記憶されているユーザ識別情報を読み出す。そして、制御部２０６は、ユーザがユーザ識別情報を電波にて送信するように指示している場合には、記憶部２０５から読み出したユーザ識別情報を変調部２１０へ出力し、ユーザがユーザ識別情報を表示部２０９に表示させるように指示している場合若しくは音声にて出力するように指示している場合には、記憶部２０５から読み出したユーザ識別情報を出力処理部２０７へ出力する。また、制御部２０６は、復調部２０３から入力した受信信号に含まれる経路情報を抽出して、抽出した経路情報を出力処理部２０７へ出力する。
【００４０】
出力処理部２０７は、制御部２０６から入力したユーザ識別情報が画像データとして表示するように指示されているのかまたは音声データとして出力するように指示されているのかを判定する。そして、出力処理部２０７は、ユーザ識別情報を画像データとして出力するようにユーザが指示している場合にはユーザ識別情報を表示部２０９へ出力し、ユーザ識別情報が音声データとして出力するようにユーザが指示している場合にはユーザ識別情報をスピーカ２０８へ出力する。
【００４１】
また、出力処理部２０７は、制御部２０６から入力した経路情報が画像データであるのかまたは音声データであるのかを判定し、経路情報が画像データである場合には経路情報を表示部２０９へ出力し、経路情報が音声データである場合には経路情報をスピーカ２０８へ出力する。
【００４２】
スピーカ２０８は、出力処理部２０７から入力した経路情報またはユーザ識別情報を音声データにて出力する。スピーカ２０８から出力される経路情報は、例えば「右へ曲がってください」「直進してください」等の音声によりユーザを目的地まで誘導するための音声データである。
【００４３】
表示部２０９は、出力処理部２０７から入力したユーザ識別情報または経路情報を画像データにて出力する。表示部２０９に表示されるユーザ識別情報は、２次元バーコード表示等の任意の表示にすることが可能である。また、表示部２０９に表示される経路情報は、例えば館内の地図上に目的地までの経路に沿ってマーキングした画像データである。
【００４４】
変調部２１０は、制御部２０６から入力した送信信号に含まれるユーザ識別情報を変調して無線部２０２へ出力する。
【００４５】
次に、経路情報提供装置１００及び通信端末装置２００の動作について、図３〜図５を用いて説明する。
【００４６】
最初に、通信端末装置２００を保有するユーザが入力部２０４を操作することにより、記憶部２０５に記憶されているユーザ識別情報の読み出しを指示する（ステップＳＴ３０１）。
【００４７】
次に、制御部２０６は、記憶部２０５に記憶されているユーザ識別情報を読み出す（ステップＳＴ３０２）。
【００４８】
次に、制御部２０６は、ユーザの指示がユーザ識別情報を電波にて送信する指示であるか否かを判定する（ステップＳＴ３０３）。
【００４９】
電波にて送信する指示である場合には、制御部２０６は、ユーザ識別情報を変調部２１０へ出力し、変調部２１０はユーザ識別情報を含む送信信号を変調して電波にて送信する（ステップＳＴ３０４）。
【００５０】
電波にて送信する指示ではない場合には、制御部２０６は、ユーザの指示がユーザ識別情報を画像データとして表示部２０９に表示する指示であるか否かを判定する（ステップＳＴ３０５）。
【００５１】
表示部２０９に表示する指示である場合には、制御部２０６は、ユーザ識別情報を出力処理部２０７へ出力し、出力処理部２０７はユーザ識別情報を表示部２０９へ出力し、表示部２０９はユーザ識別情報を画面表示する（ステップＳＴ３０６）。
【００５２】
表示部２０９に表示する指示ではない場合には、制御部２０６は、ユーザ識別情報を出力処理部２０７へ出力し、出力処理部２０７はユーザ識別情報をスピーカ２０８へ出力し、スピーカ２０８はユーザ識別情報を音声にて出力する（ステップＳＴ３０７）。
【００５３】
次に、通信端末装置２００がユーザ識別情報を画面表示または音声出力する場合には、通信端末装置２００の表示部２０９またはスピーカ２０８を経路情報提供装置１００のユーザ識別情報取得部１０４に近づけることにより、ユーザ識別情報取得部１０４は、ユーザ識別情報を画像データまたは音声データとして取得して制御部１０５へ出力する。一方、通信端末装置２００がユーザ識別情報を電波で送信する場合には、通信端末装置２００は、アンテナ２０１よりユーザ識別情報を含む信号を送信し、経路情報提供装置１００のアンテナ１０１にてユーザ識別情報を含む信号を受信し、復調部１０３は受信信号を復調して制御部１０５へ出力することによりユーザ識別情報を取得する（ステップＳＴ３０８）。
【００５４】
次に、ユーザ認識部１０８は、ユーザ識別情報取得部１０４または復調部１０３より取得したユーザ識別情報とエリアデータベース部１１１に記憶されているユーザ識別情報とを照合する（ステップＳＴ３０９）。
【００５５】
次に、ユーザ認識部１０８は、取得したユーザ識別情報とエリアデータベース１１１に記憶されているユーザ識別情報とが一致するか否か（例えば、入場許可者であるか否か）を判定する（ステップＳＴ３１０）。
【００５６】
取得したユーザ識別情報とエリアデータベース部１１１に記憶されているユーザ識別情報とが一致する場合（例えば、入場許可者である場合）には、制御部１０５は、許可する旨の制御信号を変調部１０７へ出力し、経路情報提供装置１００は、許可する旨の制御信号をアンテナ１０１より、図５に示す入場ゲート５０１の開閉を制御する制御装置５０２へ送信する（ステップＳＴ３１１）。そして、制御装置５０２は、入場ゲート５０１を開く等の制御を行う。
【００５７】
取得したユーザ識別情報とエリアデータベース部１１１の参照テーブルに保存されているユーザ識別情報とが一致しない場合（例えば、入場不許可者である場合）には、制御部１０５は、不許可である旨の制御信号を変調部１０７へ出力し、経路情報提供装置１００は、不許可である旨の制御信号をアンテナ１０１より入場ゲート５０１の開閉を制御する制御装置５０２へ送信し（ステップＳＴ３１２）、経路情報の提供は行わない。この場合には、制御装置５０２は、入場ゲート５０１を開かないように制御する。
【００５８】
次に、制御部１０５は、ユーザ認識部１０８より、取得したユーザ識別情報とエリアデータベース部１１１の参照テーブルに保存されているユーザ識別情報とが一致する旨の情報が入力した場合には、経路案内手順へ進む（ステップＳＴ３１３）。
【００５９】
次に、制御部１０５は、記憶部１０６からユーザ識別情報を読み出す（ステップＳＴ３１４）。
【００６０】
次に、制御部１０５は、ユーザ識別情報を目的地特定部１０９へ出力し、目的地特定部１０９は、ユーザ識別情報を用いてエリアデータベース部１１１の参照テーブルを参照することにより目的地を照合する（ステップＳＴ３１５）。
【００６１】
次に、目的地特定部１０９は、目的地を特定し、特定した目的地情報を制御部１０５へ出力する（ステップＳＴ３１６）。
【００６２】
次に、制御部１０５は、目的地情報を経路特定部１１０へ出力し、経路特定部１１０は目的地情報を用いてエリアデータベース部１１１の参照テーブルを参照して経路を特定する（ステップＳＴ３１７）。
【００６３】
次に、経路特定部１１０は、特定した経路情報を制御部１０５へ出力し、制御部１０５は経路情報を抽出する（ステップＳＴ３１８）。
【００６４】
次に、制御部１０５は、経路情報を変調部１０７へ出力し、経路情報提供装置１００は、アンテナ１０１より経路情報を通信端末装置２００へ送信する（ステップＳＴ３１９）。
【００６５】
次に、通信端末装置２００は、経路情報提供装置１００から送信された経路情報を受信する（ステップＳＴ３２０）。
【００６６】
次に、復調部２０３は、経路情報を復調する（ステップＳＴ３２１）。
【００６７】
次に、制御部２０６は、経路情報を記憶部２０５に記憶させる（ステップＳＴ３２２）。
【００６８】
次に、通信端末装置２００を保有するユーザは、経路情報が必要な時に入力部２０４を操作する。出力処理部２０７は、経路情報が画像データとして表示部２０９に表示させるものであるのか否かを判定する（ステップＳＴ３２３）。
【００６９】
経路情報が画像データである場合には、出力処理部２０７は、経路情報を表示部２０９に出力し、表示部２０９は経路情報を表示する（ステップＳＴ３２４）。
【００７０】
一方、経路情報が画像データとして表示部２０９に表示させるものでない場合には、出力処理部２０７は、経路情報をスピーカ２０８へ出力し、スピーカ２０８は、経路情報を音声により出力する（ステップＳＴ３２５）。
【００７１】
図６及び図７は、エリアデータベース部１１１における参照テーブルを示すものである。図６は、ユーザ識別情報と目的地とを関係づけた参照テーブルであり、図７は、目的地と経路情報とを関係付けた参照テーブルである。
【００７２】
ユーザ識別情報と目的地とを関係付けた参照テーブルは、図６に示すように、ユーザ識別情報は「０１０１０１０１」及び「１０１０１０１０」等の「１」または「０」を配列した８ビットのデータからなる。また、目的地は、座席番号Ａ１２及びＹ５３である。なお、ユーザ識別情報は、８ビットに限らず、８ビット以外の任意のビット数を選択することができる。また、目的地は、座席番号に限らず、５０７号室及び６０４号室のような部屋番号，駐車場番号でも良く、任意の目的地を選択することができる。
【００７３】
目的地と経路情報とを関係付けた参照テーブルは、図７に示すように、目的地は、座席番号Ａ１２及びＹ５３である。また、経路情報は、座席Ａ１２までの最短経路を示す経路１及び座席Ｙ５３までの最短経路を示す経路４０である。経路１及び経路４０は、通信端末装置にて経路を表示するための画像データである。なお、目的地は、座席番号に限らず、５０７号室及び６０４号室のような部屋番号でも良く、任意の目的地を選択することができる。また、経路情報は、画像データに限らず、経路１及び経路４０を音声にて誘導する音声データであっても良い。
【００７４】
このように、本実施の形態１によれば、経路情報提供装置は、あらかじめ登録されている端末を保有するユーザに対してのみ経路情報を提供することができるので、あらかじめ登録されている端末を保有するユーザに対してのみ経路情報を提供することにより、記憶容量を少なくして安価な装置にて経路情報を提供することができるとともに、経路情報を提供する装置を小型化することができる。また、本実施の形態１によれば、各端末保有者に対して専用の経路情報を提供するので、端末保有者が迷うことなく確実に目的地に辿り着くことができる。また、本実施の形態１によれば、経路情報提供装置は、小型化できることにより室内等の比較的狭いエリアに設置することが可能になり、室内等の比較的狭いエリアの経路情報を通信端末装置に対して提供することができる。また、本実施の形態１によれば、経路情報提供装置は、登録されていないユーザ識別情報を有する通信端末装置から経路情報の提供の要求があった場合には、経路情報提供装置は経路情報を送信しないので、経路情報を知らせたくない第三者の通信端末装置に対して経路情報を秘匿することができる。また、本実施の形態１によれば、端末を保有するユーザが取得する経路情報は、ユーザ毎に固定された２地点間の経路を示す情報であり、任意の２地点間の経路を選択する場合のように複数の選択肢がないので、ユーザ識別情報が一致した後に直ちに経路情報を提供することができる。
【００７５】
（実施の形態２）
図８は、本発明の実施の形態２に係る経路情報提供装置８００の構成を示すブロック図である。
【００７６】
本実施の形態２に係る経路情報提供装置８００は、図１に示す実施の形態１に係る経路情報提供装置１００において、図８に示すように、現在地特定部８０２を追加し、目的地特定部１０９の代わりに目的地選択部８０１を有する。なお、図８において、図１と同一構成である部分には同一の符号を付してその説明は省略する。
【００７７】
制御部１０５は、ユーザ識別情報取得部１０４から入力したユーザ識別情報または復調部１０３から入力したユーザ識別情報を記憶部１０６へ記憶させるとともに、記憶部１０６に記憶されているユーザ識別情報を読み出してユーザ認識部１０８へ出力する。そして、制御部１０５は、記憶部１０６から読み出したユーザ識別情報とあらかじめエリアデータベース部１１１に登録されているユーザ識別情報とが一致する旨の情報がユーザ認識部１０８から入力した場合で、かつ復調部１０３から目的地選択メニュー情報の送信を要求する要求信号が入力した場合には、目的地選択メニュー情報を出力するように目的地選択部８０１に要求し、目的地選択部８０１から要求した目的地選択メニュー情報が入力した場合には、目的地選択メニュー情報を変調部１０７へ出力する。一方、制御部１０５は、ユーザ識別情報が一致しない旨の情報がユーザ認識部１０８から入力した場合には、復調部１０３から目的地選択メニュー情報の送信を要求する要求信号が入力した場合であっても、目的地選択部８０１に対して目的地選択メニュー情報を出力する要求を行わない。また、制御部１０５は、現在地特定部８０２から入力したユーザ識別情報が一致する端末を保有するユーザの現在地情報を経路特定部１１０へ出力する。さらに、制御部１０５は、復調部１０３から入力したユーザが目的地選択メニューから選択した目的地情報を経路特定部１１０へ出力する。そして、制御部１０５は、経路特定部１１０から経路情報が入力した場合には、経路情報を変調部１０７へ出力する。経路情報は、画像情報または音声情報等の任意の方式にすることが可能である。
【００７８】
経路特定部１１０は、制御部１０５から入力した経路情報を要求しているユーザの現在地情報と目的地情報より、エリアデータベース部１１１に記憶されている地図情報を用いて、ナビゲーションシステムにて通常用いられる既知の演算を行うことにより、現在地から目的地までの経路を特定し、特定した経路情報を制御部１０５へ出力する。経路特定部１１０が出力する経路情報は、端末を保有するユーザが居る任意の地点とユーザが選択した任意の地点との間の経路を示す情報である。
【００７９】
エリアデータベース部１１１は、例えば映画館の座席を予約したユーザのみのユーザ識別情報を記憶している。また、エリアデータベース部１１１は、目的地選択メニュー情報を記憶しているとともに、通信端末装置を保有するユーザが移動する範囲の地図情報を記憶している。
【００８０】
目的地選択部８０１は、制御部１０５から目的地選択メニュー情報を要求する要求信号が入力した場合には、エリアデータベース部１１１に記憶されている目的地選択メニュー情報を読み出して制御部１０５へ出力する。
【００８１】
現在地特定部８０２は、ＧＰＳ衛星等を用いて検出した経路情報を要求しているユーザの通信端末装置の現在の位置情報が、図示しないポジショニングシステムより入力することにより、経路情報を要求しているユーザの通信端末装置の現在位置を求めて制御部１０５へ出力する。なお、現在地特定部８０２は、ＧＰＳ衛星等を用いてユーザの通信端末装置の現在居る位置情報を求める場合に限らず、無線タグを用いてユーザの通信端末装置の現在居る位置情報を求める等の任意の方法を採用することが可能である。通信端末装置の構成は、図２と同一構成であるのでその説明は省略する。
【００８２】
次に、経路情報提供装置８００及び通信端末装置２００の動作について、図９を用いて説明する。なお、ユーザ識別情報が一致するか否かの判定を行うまでの動作は、図３のステップＳＴ３０１〜ステップＳＴ３１３までと同一であるのでその説明は省略し、ユーザ識別情報の一致を確認した後の動作について説明する。
【００８３】
最初に、通信端末装置２００からトイレまたは自動販売機等の目的地選択メニューの送信を要求された場合には、経路情報提供装置８００の目的地選択部８０１は、エリアデータベース部１１１に記憶されている目的地選択メニュー情報を読み出し（ステップＳＴ９０１）、変調部１０７は目的地選択メニュー情報を含む送信信号を変調し、アンテナ１０１より目的地選択メニュー情報を送信する。
【００８４】
次に、目的地選択メニュー情報を受け取った通信端末装置２００は、目的地選択メニューの中から目的地を選択して（ステップＳＴ９０２）、選択した目的地情報を経路情報提供装置８００へ送信する。
【００８５】
次に、経路情報提供装置８００の現在地特定部８０２は、通信端末装置２００の現在地を特定する（ステップＳＴ９０３）。
【００８６】
次に、経路特定部１１０は、受信した目的地情報と現在地特定部８０２にて特定された現在地情報とを用いて目的地までの経路を求める（ステップＳＴ９０４）。
【００８７】
次に、制御部１０５は、経路特定部１１０にて求めた経路情報を抽出して（ステップＳＴ９０５）、変調部１０７は経路情報を含む送信信号を変調してアンテナ１０１より経路情報を送信する（ステップＳＴ９０６）。
【００８８】
通信端末装置２００は経路情報を受信し（ステップＳＴ９０７）、復調部２０３は経路情報を含む受信信号を復調する（ステップＳＴ９０８）。
【００８９】
次に、制御部２０６は、経路情報を記憶部２０５に記憶させる（ステップＳＴ９０９）。
【００９０】
次に、通信端末装置２００を保有するユーザは、経路情報が必要な時に入力部２０４を操作する。出力処理部２０７は、経路情報を画像データとして表示部２０９に表示させるものであるか否かを判定する（ステップＳＴ９１０）。
【００９１】
経路情報が画像データである場合には、出力処理部２０７は、経路情報を表示部２０９に出力し、表示部２０９は、経路情報を表示する（ステップＳＴ９１１）。
【００９２】
一方、経路情報が画像データでない場合には、出力処理部２０７は、経路情報をスピーカ２０８へ出力し、スピーカ２０８は、経路情報を音声にて出力する（ステップＳＴ９１２）。
【００９３】
このように、本実施の形態２によれば、あらかじめ登録されている端末を保有するユーザに対してのみ経路情報を提供することにより、記憶容量を少なくして安価な装置にて経路情報を提供することができるとともに、経路情報を提供する装置を小型化することができる。また、本実施の形態２によれば、経路情報提供装置は、端末を保有しているユーザに対して経路情報を送信するので、端末保有者が迷うことなく確実に目的地に辿り着くことができる。また、本実施の形態２によれば、任意の地点において経路情報提供装置と通信を行う端末を保有するユーザに対して経路情報を提供するので、所定のエリア内であれば、端末を保有するユーザが場所を選ばずに経路情報を取得することができる。また、本実施の形態２によれば、位置情報提供装置は、目的地情報と通信端末装置の現在値とより、通信端末装置から要求された室内等の比較的狭いエリアの経路情報も通信端末装置に対して提供することができるので、場所を選ばずに経路情報を提供することができる。また、本実施の形態２によれば、経路情報提供装置は、登録されていないユーザ識別情報を有する通信端末装置から経路情報の提供の要求があった場合には経路情報を送信しないので、経路情報を知らせたくない第三者の通信端末装置に対して経路情報を秘匿することができる。
【００９４】
なお、上記実施の形態１及び実施の形態２においては、通信端末装置として携帯電話を用いることとしたが、これに限らず、経路情報提供装置と通信することができる端末であれば任意の端末を選択することが可能である。また、上記実施の形態１及び実施の形態２においては、経路情報提供装置は映画館等の室内の経路情報を提供することとしたが、これに限らず、公園または駐車場等の野外の狭いエリアの経路情報でも良く、さらに狭いエリアに限らず広いエリアの経路情報でも良く、任意のエリアの経路情報を提供することが可能である。
【００９５】
【発明の効果】
以上説明したように、本発明によれば、あらかじめ登録されている端末を保有するユーザに対してのみ経路情報を提供することにより、記憶容量を少なくして安価な装置にて経路情報を提供することができるとともに、経路情報を提供する装置を小型化することができる。
【図面の簡単な説明】
【図１】本発明の実施の形態１に係る経路情報提供装置の構成を示すブロック図
【図２】本発明の実施の形態１に係る通信端末装置の構成を示すブロック図
【図３】本発明の実施の形態１に係る経路情報提供装置及び通信端末装置の動作を示すフロー図
【図４】本発明の実施の形態１に係る経路情報提供装置及び通信端末装置の動作を示すフロー図
【図５】本発明の実施の形態１に係る通信端末装置の使用方法を説明する模式図
【図６】本発明の実施の形態１に係るユーザ識別情報と目的地とを関係付けた参照テーブルを示す図
【図７】本発明の実施の形態１に係る目的地と経路情報とを関係付けた参照テーブルを示す図
【図８】本発明の実施の形態２に係る経路情報提供装置の構成を示すブロック図
【図９】本発明の実施の形態２に係る経路情報提供装置及び通信端末装置の動作を示すフロー図
【図１０】従来の携帯端末装置の構成を示すブロック図
【符号の説明】
１００  経路情報提供装置
１０１  アンテナ
１０３  復調部
１０４  ユーザ識別情報取得部
１０５  制御部
１０６  記憶部
１０７  変調部
１０８  ユーザ認識部
１０９  目的地特定部
１１０  経路特定部
１１１  エリアデータベース部
【図１】
2005020514.tif 000003
【図２】
2005020514.tif 000004
【図３】
2005020514.tif 000005
【図４】
2005020514.tif 000006
【図５】
2005020514.tif 000007
【図６】
2005020514.tif 000008
【図７】
2005020514.tif 000009
【図８】
2005020514.tif 000010
【図９】
2005020514.tif 000011
【図１０】
2005020514.tif 000012